(57)【要約】【課題】  部材が簡潔で組み立てやすく、任意で家やオフィスの壁の底部に組み込むことができ、同時に効果的に美感を増進すると共に、個人でのDIY操作と使用に適しており、施工品質を向上する巾木の提供。【解決手段】  本考案の巾木は主に、位置決め板及び化粧板を相互に組み合わせて成り、位置決め板の上端部に切欠部及び嵌入片を設け、化粧板に挟み槽及び長辺、短辺を設け、位置決め板を先に釘で壁の下端部に緊密に貼り合わせた後、化粧板を上から下へ嵌入片に嵌入し、化粧板で位置決め板の外表を覆い、全体で美感を形成する。【選択図】    図２
0003116858.tif 000002
【実用新案登録請求の範囲】
【請求項１】
主に位置決め板及び化粧板から構成され、該位置決め板が薄い片体を呈し、上端に切欠部を設けて嵌入片を形成し、該化粧板が薄い片体を呈し、板体に挟み槽を形成し、該挟み槽の前後両側にそれぞれ長辺及び短辺を設け、該化粧板の挟み槽を位置決め板の嵌入片に嵌入して結合することができる構成とした巾木。
【請求項２】
前記化粧板の短辺の長さが位置決め板の切欠部の長さより大きくない構成とした請求項１に記載の巾木。
【請求項３】
前記化粧板の長辺の長さが位置決め板の高さより小さくない構成とした請求項１に記載の巾木。
【請求項４】
前記位置決め板の嵌入片の厚さが化粧板の挟み槽の幅より大きくない構成とした請求項１に記載の巾木。
【請求項５】
前記化粧板の表面に剥がせるフィルムを設けた構成とした請求項１に記載の巾木。
【考案の詳細な説明】
【技術分野】
【０００１】
本考案は巾木の設計に関し、詳細には、生産が容易で製造コストが低く、施工・組み立てが簡単・迅速にでき、個人がDIYで自ら組み立て家庭やオフィスの内装に用いるのに適しており、任意に壁の底部に組み込むことができる、巾木に関する。
【背景技術】
【０００２】
中華民国特許公告第456407号「分離式化粧板を備えた巾木」は、断面が凵の字形の位置決め部材と、結合板と、化粧板を含み、位置決め部材中間部に凹み槽が形成され、一面が壁の下端部壁面上に貼り付けられると共に、結合板の両側にそれぞれ外側に向かって延伸された相互に対応する突出板が設けられ、そのうち一つの突出板を上述の位置決め部材の凹み槽内に挿入することができ、さらに化粧板の上端部を内側に向かって水平に延伸して掛止板を形成し、下端部に冂の字形の嵌合板を形成し、上から下へ位置決め部材上に挿入して設置することができるものである。
【０００３】
上述の巾木は、断面が凵の字形の位置決め部材を設けており、この位置決め部材が凵の字形であるがために、垂直方向に柔軟な可撓度を維持することができず、このため、巾木を釘で打ちつけるとき、コンクリートの壁面に緊密に貼り合わせることが難しく、また、結合板下端部の突出板を位置決め部材の凹み槽内に挿入し、これら２つの部材を固定した後、さらに化粧板を上から下へ位置決め部材上に挿入する際、化粧板下端部の冂字形の嵌合板が凵字形の位置決め部材の凹み槽内に嵌入されるが、床の表面はコンクリートであるため平坦ではない状態になりやすく、化粧板の下端部の嵌合板は一部が凹み槽内に挿入されているため、上下の高さを調節することはできず、位置決め部材が露出されてしまいやすいことが主な欠点である。
【０００４】
このため、本考案の巾木は、構造が簡単で、製造しやすく、製造コストを抑え、同時に現場での施工を迅速に行なうことができ、市場のニーズに応えるものである。本考案は上述の構造において改善が求められる欠点に鑑みて、よりよい巾木を提供し、消費者に使用してもらうことをその創作の動機としている。
【考案の開示】
【考案が解決しようとする課題】
【０００５】
本考案の主な目的は、部材が簡潔で組み立てやすく、且つ、任意で家やオフィスの壁の底部に組み込むことができ、同時に効果的に美感を増進する、巾木を提供することにある。
【０００６】
本考案の別の目的は、技術に熟練していない個人でのDIY操作と使用に適しており、施工品質を向上する巾木を提供することにある。
【課題を解決するための手段】
【０００７】
上述の目的を達するため、本考案の巾木は主に、位置決め板及び化粧板を相互に組み合わせて成り、位置決め板の上端部に切欠部及び嵌入片を設け、化粧板に挟み槽及び長辺、短辺を設け、位置決め板を先に釘で壁の下端部に緊密に貼り合わせた後、化粧板を上から下へ嵌入片に嵌入し、化粧板で位置決め板の外表を覆い、全体で美感を形成する。        
【考案の効果】
【０００８】
本考案は次のような利点がある：
１、本考案は位置決め板と化粧板を上、下方向に嵌め込んで組み立てる施工方法であるため、直接相互を嵌合させるという操作は簡単であり、床の高さの起伏への密着性についても、化粧板を上下に移動させ適用することができる。
２、本考案の化粧板にはさまざまな模様を設けることができ、また化粧板と位置決め板の結合は板体の嵌合のみでしっかりと結合させることができ、迅速且つ容易に組み立て・施工が可能であるため、例えば毎年度の内装変化の際にもDIYで簡単に組み立てることができ、実用性及び利便性に優れている。      
【考案を実施するための最良の形態】
【０００９】
本考案のその他特徴と具体的な実施例について、以下図面に基づき詳細に説明する。
【００１０】
図１、図２に示すように、本考案の巾木は、主に位置決め板１０、化粧板２０を相互に組み合わせて結合して成る。
【００１１】
そのうち、該位置決め板１０は長細い形状の薄い片体であり、その上端部に切欠部１１を設け、同時に、この切欠部１１の設置により嵌入片１２が形成される。位置決め板１０全体は薄く細長い形状を呈しているため、この板体は自然に垂直方向の可撓性を備えており、平坦とは限らないコンクリート壁面に貼り付ける際、緊密に貼り合わせることができる。
【００１２】
該化粧板２０も細長い形状の薄い片体であり、板体に挟み槽２１を形成し、この挟み槽の前側に長辺２２を設け、この挟み槽の後ろ側に短辺２３を設ける。この挟み槽２１の幅は少なくとも前述の嵌入片１２の厚さと同じかそれより大きいものとし、挟み槽２１に位置決め板１０の嵌入片１２を十分に嵌入させて結合させることができるものとする。化粧板２０の外表面には、一層の剥がせるフィルム２４を設けてもよい。このフィルム２４を室内壁面の塗装が完了した後剥がすことで、きれいに保つことができる。
【００１３】
図３、図４に示すように、本考案の構成部材である位置決め板１０及び化粧板２０の具体的な構造は前述の通りとするが、本考案の使用上、完全性を追及するため、化粧板２０の長辺２２を長さaとし、短辺２３を長さbとして設ける。同時に位置決め板１０の嵌入片１２(即ち、切欠部１１)を長さcとして設け、位置決め板１０の高さをdとする。そのうち、長辺の長さaは位置決め板の高さdと同じかそれより大きいものとし、化粧板２０が完全に位置決め板１０を遮蔽することができ、且つ、短辺の長さbは位置決め板の切欠部の長さcより大きくないものとし、これにより化粧板２０を位置決め板１０上で下方向へ滑らせ、下方位置まで達させることができ、完全に遮蔽する効果を得ることができる(図５参照)。図４から図６に示すように、予めエア釘打機３０で釘３１を利用し位置決め板１０を壁４０の下部に固定し、最後に化粧板２０をその挟み槽２１を利用して直接位置決め板１０上の嵌入片１２に嵌入し、完全な巾木を構成することができる。施工が完了した巾木は継ぎ目が細かく、美感の効果を得ることができる。
【００１４】
本考案の位置決め板１０は、一般に比較的廉価の板体を加工して成り、釘３１を利用して壁４０下部に固定し、化粧板２０を外側に被せるとき、見た目に美しくない釘３１を隠すことができ、外観には加工の痕跡が見られず、完成状態の品質を向上することができる。且つ、釘３１に時間が経つにつれて錆が発生しても、外側からは分からないため、永久にその美感を維持することができる。
【００１５】
上述の説明は本考案の具体的な実施例に基づくものであるが、本考案はこの説明に制限されることはなく、関連技術を熟知した人物によるあらゆる修飾や変化も本考案に含まれるものとみなし、本考案は特許請求の範囲によりその完全な範疇が定められる。
【００１６】
上述のように、本考案は過去の従来の巾木の欠点を改善することができるだけでなく、組み立てユニットの設置により、迅速且つ簡単に組み立てることができ、施工コストを抑えることが可能であり、全体の実用性及び利便性を大幅に向上し、壁下部の修飾として適しているため、その実用性は疑う余地がない。
【図面の簡単な説明】
【００１７】
【図１】本考案の立体外観図である。
【図２】本考案の構造を示す立体分解図である。
【図３】本考案の組み立て後状態を示す断面図である。
【図４】本考案の部材の側面図である。
【図５】本考案の実施動作を示す側面図である。
【図６】本考案の施工状態を示す立体図である。
【符号の説明】
【００１８】
１０        位置決め板
１１        切欠部
１２        嵌入片
２０        化粧板
２１        挟み槽
２２        長辺
２３        短辺
２４        剥がせるフィルム
３０        エア釘打機
３１        釘
40      壁
【図１】
0003116858.tif 000003
【図２】
0003116858.tif 000004
【図３】
0003116858.tif 000005
【図４】
0003116858.tif 000006
【図５】
0003116858.tif 000007
【図６】
0003116858.tif 000008